(57)【要約】      （修正有）【課題】吸引力の低下を防止して、確実に有害ガスを吸引することができるとともに、流し台などの水まわりを備える作業台に用いることができる換気装置を提供する。【解決手段】一方向に向かって送風する送風源を有する送風部１０と、吸引力を発生する吸引源１１と、吸引源に連結される吸引部１２と、送風部１０と吸引部１２とが、前記一方向に間隔をあけて連結される支持体１３とを含み、吸引部１２は、気流の通過領域を外囲する環状の開口壁部３１と、作業台部３２と、吸引源１１からの吸引力が導かれる吸引孔を有する吸引壁部３３とで換気装置１を構成し、開口壁部の下流側の端部または該下流側の端部よりも上流側に吸引孔を形成する。【選択図】図１
0003173962.tif 000002
【実用新案登録請求の範囲】
【請求項１】
一方向に向かって送風する送風源を有する送風部と、
吸引力を発生する吸引源と、
前記送風源の前記一方向下流側に配置され、前記吸引源に連結される吸引部と、
前記送風部と前記吸引部とが、前記一方向に間隔をあけて連結される支持体とを含み、
前記吸引部は、
前記気流の通過領域を外囲する環状の開口壁部と、
前記開口壁部の前記一方向上流側の端部から外側方に延びる作業台部と、
前記開口壁部の前記一方向下流側の端部から外側方に延び、前記開口壁部の前記一方向下流側の端部または該一方向下流側の端部よりも前記一方向上流側の端部寄りに形成される吸引孔であって、前記吸引源からの吸引力が導かれる吸引孔を有する吸引壁部と、
前記吸引壁部の外側方の端部に連なる断面凹状のシンク本体部とを含むことを特徴とする換気装置。
【請求項２】
前記吸引壁部は、前記開口壁部の前記一方向下流側の端部から外側方に向かうにつれて前記一方向上流側に傾斜して形成されることを特徴とする請求項１に記載の換気装置。
【請求項３】
前記吸引部は、前記開口壁部の前記一方向下流側の端部から外側方に延びる底板部を有し、
前記吸引壁部は、前記底板部の外周縁部から前記一方向上流側に立ち上がって形成されることを特徴とする請求項１に記載の換気装置。
【請求項４】
前記吸引壁部は、前記開口壁部の前記一方向上流側の端部と前記一方向下流側の端部との間の中間部から外側方に延びて形成されることを特徴とする請求項１に記載の換気装置。
【請求項５】
前記吸引孔は、前記吸引壁部に沿って周方向に長手の長円形であることを特徴とする請求項１〜４のいずれか１つに記載の換気装置。
【請求項６】
前記吸引孔は、前記吸引壁部に沿って周方向に交互に頂点と底辺とが配置される三角形であることを特徴とする請求項１〜４のいずれか１つに記載の換気装置。
【考案の詳細な説明】
【技術分野】
【０００１】
本考案は、病理検査室および化学実験室などに設置される作業台上で発生したホルムアルデヒドなどの有毒物質および臭気物質などを含む有害ガスを誘引して排気または清浄化し、作業者の有害ガスによる曝露を防止することができる換気装置に関する。
【背景技術】
【０００２】
従来技術の換気装置は、たとえば特許文献１に開示されている。この従来技術では、作業台として用いられる平板状のプルフードと称される吸引部の上方に、該吸引部に対向して、プッシュフードと称される送風部が設けられ、これらの吸引部と送風部とは、支持体によって連結される。
【０００３】
前記支持体は、本体とフレームとによって構成され、本体内にはシロッコファンなどの吸引手段が内蔵され、この吸引手段の吸引力によって、送風部から吹き出される空気は、吸引部を介して吸引される。前記支持体の本体内には、ダクトおよびフィルタが備えられ、吸引部から吸引された空気は、ダクトを通って室外へ排気され、あるいはフィルタを通って清浄化されて循環される。
【０００４】
前記送風部は、一定方向に一定流速で流れる気流を発生させ、この気流の吹出し口には整流機構とファンとが設けられる。前記ファンを作動させると、室内の空気が粉塵用フィルタを介して取込まれ、前記整流機構によって流速分布および気流の方向が均一された後、吹出し口から一様な流れ、たとえば１．５ｍ３／分〜４ｍ３／分の微風速の下降流、すなわちダウンフローとして前記吸引部に到達する。
【０００５】
前記吸引部は、吸込み面の中央部が遮断面とされ、その周辺に吸込み機能を有する多孔状の吸込み面が設けられる。前記遮断面は、吸込み面の２０〜７０％の大きさ、たとえば吸込み面の表面積の４４％に相当する５００ｍｍ×３２５ｍｍの大きさとされ、吸込み機能を持たない金属板やプラスチック板の平坦な表面によって実現される。
【０００６】
前記送風部からのダウンフロー気流は、主に前述の遮断面に到達するが、このダウンフロー気流は微風速であるため、遮断面によって反射せずに該遮断面に沿って周囲へ分散し、遮断面の周囲の吸込み面から室内空気とともに吸引される。
【０００７】
このような換気装置によって、吸引部上で発生した有害ガスは、前記ダウンフロー気流の一部として前記吸込み面から誘引され、作業者の有害ガスによる曝露が防がれる。
【先行技術文献】
【特許文献】
【０００８】
【特許文献１】特開２００５−１３３９６４号公報
【考案の概要】
【考案が解決しようとする課題】
【０００９】
従来技術では、送風部と対抗する位置に、作業台として用いられる平板状の吸引部が設けられ、該吸引部は中央部が遮断面とされ、その周辺に吸込み機能を有する多孔状の吸込み面が設けられるので、作業者が作業を行うときに、前記吸込み面が作業者の手または物品によって塞がれてしまう場合がしばしば生じる。吸引部が塞がれてしまうと換気装置の吸引力が低下し、この吸引力の低下によって、有害ガスを確実に吸引することができなくなってしまうという問題がある。
【００１０】
また従来技術では、吸引部が上方に向けて開口することから、従来技術を流し台が備え付けられた作業台にそのまま適応すると、カランから放出された水などの液体が吸引部内に吸引されてしまうので、換気装置として機能を発揮することができない、という問題がある。
【００１１】
したがって、本考案の目的は、吸引力の低下を防止して、確実に有害ガスを吸引することができるとともに、流し台などの水まわりを備える作業台に用いることができる換気装置を提供することである。
【課題を解決するための手段】
【００１２】
本考案は、一方向に向かって送風する送風源を有する送風部と、
吸引力を発生する吸引源と、
前記送風源の前記一方向下流側に配置され、前記吸引源に連結される吸引部と、
前記送風部と前記吸引部とが、前記一方向に間隔をあけて連結される支持体とを含み、
前記吸引部は、
前記気流の通過領域を外囲する環状の開口壁部と、
前記開口壁部の前記一方向上流側の端部から外側方に延びる作業台部と、
前記開口壁部の前記一方向下流側の端部から外側方に延び、前記開口壁部の前記一方向下流側の端部または該一方向下流側の端部よりも前記一方向上流側の端部寄りに形成される吸引孔であって、前記吸引源からの吸引力が導かれる吸引孔を有する吸引壁部と、
前記吸引壁部の外側方の端部に連なる断面凹状のシンク本体部とを含むことを特徴とする換気装置である。
【００１３】
また本考案は、前記吸引壁部は、前記開口壁部の前記一方向下流側の端部から外側方に向かうにつれて前記一方向上流側に傾斜して形成されることを特徴とする。
【００１４】
また本考案は、前記吸引部は、前記開口壁部の前記一方向下流側の端部から外側方に延びる底板部を有し、
前記吸引壁部は、前記底板部の外周縁部から前記一方向上流側に立ち上がって形成されることを特徴とする。
【００１５】
また本考案は、前記吸引壁部は、前記開口壁部の前記一方向上流側の端部と前記一方向下流側の端部との間の中間部から外側方に延びて形成されることを特徴とする。
【００１６】
また本考案は、前記吸引孔は、前記吸引壁部に沿って周方向に長手の長円形であることを特徴とする。
【００１７】
また本発明は、前記吸引孔は、前記吸引壁部に沿って周方向に交互に頂点と底辺とが配置される三角形であることを特徴とする。
【考案の効果】
【００１８】
本考案によれば、吸引壁部は、開口壁部の前記一方向下流側の端部から外側方に延びて形成される。吸引壁部には、開口壁部の前記一方向下流側の端部または該一方向下流側の端部よりも前記一方向上流側の端部寄りの位置に、吸引源からの吸引力が導かれる吸引孔が形成される。
【００１９】
これによって、吸引孔は、作業者に臨む位置に形成されないので、作業者が作業を行っても、吸込孔が作業者の手または物品などによって塞がれてしまうことが防がれ、吸引孔が塞がれることによる、吸引力の低下を防止して、確実に有害ガスを吸引することができる。また吸引孔は、上方に臨まないので、流し台などの水まわりを備える作業台に用いることができる換気装置を実現することができる。
【００２０】
また本考案によれば、吸引壁部は、開口壁部の前記一方向下流側の端部から外側方に向かうにつれて前記一方向上流側に傾斜して形成されるので、前述と同様に、吸引孔が塞がれることによる、吸引力の低下を防止して、確実に有害ガスを吸引することができる。また吸引孔は、上方に臨まないので、流し台などの水まわりを備える作業台に用いることができる換気装置を実現することができる。
【００２１】
また本考案によれば、吸引壁部は、底板部の外周縁部から前記一方向上流側に立ち上がって形成されるので、吸引孔はシンク本体部の側壁と対向する位置に形成される。
【００２２】
これによって、吸引孔がシンク本体部の底面に臨む換気装置に比較して、シンク本体部内の液体が吸引孔から吸引されることを抑制することができるので、換気装置の吸引力の低下をより抑制し、長期にわたって有害ガスを確実に吸引することができる。
【００２３】
また本考案によれば、吸引壁部が、開口壁部の中間部から外側方に延びて形成されるので、吸引孔を介して液体が内部へ侵入することを、より確実に防止することができる。
【００２４】
また本考案によれば、吸引孔が楕円形に形成されるので、単位面積あたりの吸込み面積を大きく確保し、空気の吸引量を多くすることができる。
【００２５】
また本考案によれば、吸引孔が三角形に形成されるので、単位面積あたりの吸込み面積を大きく確保し、空気の吸引量を多くすることができる。
【図面の簡単な説明】
【００２６】
【図１】本考案の第１実施形態の換気装置１を簡素化して示す断面図である。
【図２】図１の左方から見た換気装置１の正面図である。
【図３】図２の右方から見た換気装置１の側面図である。
【図４】送風部１０を図２の下方から見た底面図である。
【図５】吸引部１２を図２の上方から見た平面図である。
【図６】吸引部１２の吸引孔３４付近を拡大して示す部分拡大断面図である。
【図７】吸引部１２の吸引孔３４付近を拡大して示す部分拡大平面図である。
【図８】本考案の第２実施形態の換気装置１Ａに係る吸引部１２Ａの吸引孔３４付近を拡大して示す部分拡大断面図である。
【図９】本考案の第３実施形態の換気装置１Ｂに係る吸引部１２Ｂの吸引孔３４付近を拡大して示す部分拡大断面図である。
【図１０】本考案の第４実施形態の換気装置１Ｃに係る吸引部１２Ｃの吸引孔３４付近を拡大して示す部分拡大断面図である。
【図１１】吸引孔３４の変形例を示す部分拡大平面図である。
【考案を実施するための形態】
【００２７】
図１は本考案の第１実施形態の換気装置１を簡素化して示す断面図であり、図２は図１の左方から見た換気装置１の正面図である。図３は図２の右方から見た換気装置１の側面図であり、図４は送風部１０を図２の下方から見た底面図であり、図５は吸引部１２を図２の上方から見た平面図である。
【００２８】
本実施形態の換気装置１は、床面に設置され、下方に向かって気流を発生する送風源を有する送風部１０と、吸引力を発生する吸引源１１と、送風部１０によって発生する気流の流れ方向下流側に配置され、吸引源に連結される吸引部１２と、上下に間隔をあけて送風部１０と吸引部１２とを連結する支持体１３と、送風部１０、吸引部１２および支持体１３が載置される基台１４と、を含んで構成される。
【００２９】
送風部１０は、内部空間を有し、前壁部２０ａと後壁部２０ｂと一対の側壁部２０ｃ，２０ｄと天井部２０ｅと底部２０ｆと、天井部２０ｅと底部２０ｆとの間に形成され、中央部に開口２０ｈが形成される棚板部２０ｇとを有する四角箱状のハウジング２０と、ハウジング２０の内部に配置される、送風源である給気用ファン２１とを含んで構成される。
【００３０】
ハウジング２０の天井部２０ｅには、給気用ファン２１を点検するための点検用開口２２が形成され、この点検用開口２２が形成される部分には、点検用開口２２を塞ぐための、カバー板２３が天井部２０ｅにねじ止めされて着脱可能に設けられる。
【００３１】
ハウジング２０の底部２０ｆには、給気用ファン２１に対向する矩形状の吹出し口２４が形成される。吹出し口２４には、フィルタ２５が設けられる。
【００３２】
給気用ファン２１は、棚板部２０ｇの開口２０ｈに対向する位置に設けられ、棚板部２０ｇに支持される。給気用ファン２１は、後述する操作パネル２９に電気的に接続される。給気用ファン２１は、たとえば軸流ファンによって実現される。給気用ファン２１は、ハウジング２０内の中央部であって、吹出し口２４と対向する位置に設けられる。給気用ファン２１は、天井部２０ｅ側からハウジング２０内の空気を吸い込み、吹出し口２４に向けて吹出す。このようにして、給気用ファン２１は、鉛直下方に向かって気流を発生させる。前記気流が流れる方向の上流側、すなわち鉛直上方が一方向上流側であり、鉛直下方が一方向下流側である。
【００３３】
以下、図１において左方向を前方と称し、右方向を後方と称し、図２において左方向を左方と称し、右方向を右方と称し、上方向を上方と称し、下方向を下方と称して説明する。
【００３４】
図２に示すように、ハウジング２０の前壁部２０ａ、および一対の側壁部２０ｃ，２０ｄには、ハウジング２０内に外気を取込むための、略矩形状の取込み口２６ａ，２６ｂ，２６ｃが形成される。各取込み口２６ａ〜２６ｃには、吸込ガラリ２７が取付けられる。吸込ガラリ２７を取り付けることによって、ハウジング２０内への異物の混入が防がれる。
【００３５】
図４に示すように、底部２０ｆであって、フィルタ２５の左方および右方には、照明装置２８ａ，２８ｂが取付けられる。また図２に示すように、前壁部２０ａには、操作パネル２９が取付けられる。操作パネル２９は、照明スイッチ２９ａと、ファンスイッチ２９ｂと、ブレーカー２９ｃとを有する。照明スイッチ２９ａは、照明装置２８ａ，２８ｂへの電力の供給レベル、すなわち電圧を切り換える切換え手段である。ファンスイッチ２９ｂは、給気用ファン２１および後述する吸引用ファン３０への電力の供給レベルを切り換える切換え手段である。ブレーカー２９ｃは、換気装置１への電力の供給レベルを切り換える切換え手段である。操作パネル２９は、図示しない電力供給源に電気的に接続される。
【００３６】
吸引源１１である吸引用ファン３０は、吸引部１２よりも気流の流れ方向下流側に配置され、支持体１３に設けられる。本実施形態では、吸引用ファン３０は、シロッコファンによって実現される。吸引用ファン３０は、操作パネル２９に電気的に接続される。
【００３７】
図６は、吸引部１２の吸引孔３４付近を拡大して示す部分拡大断面図であり、図７は、吸引部１２の吸引孔３４付近を拡大して示す部分拡大平面図である。
【００３８】
図１も参照して、吸引部１２は、環状の開口壁部３１と、開口壁部３１の上端部から外側方に延びる作業台部３２と、開口壁部３１の下端部に連なり、吸引用ファン３０からの吸引力が導かれる吸引孔３４を有する吸引壁部３３と、吸引壁部３３の外側方の端部に連なる断面凹状のシンク本体部３５と、を含んで構成される。
【００３９】
開口壁部３１は、送風部１０が発生させた気流の通過領域を外囲するように形成される。本実施形態では、開口壁部３１は、平面視で丸隅四角形状に形成される。作業台部３２は、開口壁部３１の上端部に連なり、外側方に向かって水平に延びる。作業台部３２の外側方側端部には、下方に向かって延びる外側壁部３６が形成される。外側壁部３６の下方側端部には、内方に向かって水平に延びる底板部３７が形成される。
【００４０】
吸引壁部３３は、開口壁部３１の下端部に連なり、外側方に向かって延びる。吸引壁部３３は、外側方に向かうにつれて上方に傾斜して延びる。吸引壁部３３には、吸引用ファン３０からの吸引力が導かれる吸引孔３４が形成される。本実施形態において、吸引孔３４は、平面視で矩形状の孔であり、吸引壁部３３に沿って、列を成して複数形成される。
【００４１】
作業台部３２には、シンク本体部３５に向かって水道水などの液体を排出するカラン２が設けられる。カラン２は、図示しない液体供給源に接続される。
【００４２】
シンク本体部３５は、たとえばステンレス製であり、吸引壁部３３の外側方の端部に連なり、断面凹状に形成される。シンク本体部３５の中央部には、シンク本体部３５の液体を排出するための排液部３８が設けられる。排液部３８は、図示しない排液管に接続され、排液を室外に排出する。
【００４３】
吸引部１２は、ハウジング３９をさらに含む。ハウジング３９は、たとえばステンレス製であり、矩形有底筒状に形成され、シンク本体部３５を内包して覆う。ハウジング３９は、底板部３７に下方から当接し、連結される。図１に示すように、開口壁部３１と、作業台部３２と、吸引壁部３３と、シンク本体部３５と、外側壁部３６と、底板部３７と、ハウジング３９とによって、閉空間が規定される。ハウジング３９の底部の排液部３８と対向する位置には、排液部３８が挿通される孔が形成される。またハウジング３９の底部には、ハウジング３９内の排液を排出するためのドレン管４５が設けられる。ドレン管４５は、図示しない排液管に接続される。
【００４４】
再び図１〜図５を参照して、支持体１３は、一対の枠体４０ａ，４０ｂと、枠体４０ａ，４０ｂ間に設けられる後方パネル４１と、側方パネル４２ａ，４２ｂとを含んで構成される。
【００４５】
枠体４０ａは、作業台部３２の一方側（図２において左方側）に配置され、枠体４０ｂは、作業台部３２の他方側（図２において右方側）に配置される。後方パネル４１は、作業台部３２の後方側（図１において右方側）に配置され、幅方向一方が枠体４０ａに嵌合され、幅方向他方が枠体４０ｂに嵌合されて設けられる。側方パネル４２ａは、枠体４０ａ内に嵌め合わされ、側方パネル４２ｂは、枠体４０ｂ内に嵌め合わされる。
【００４６】
一対の枠体４０ａ，４０ｂは、下方から送風部１０のハウジング２０を支持する。具体的には、一対の枠体４０ａ，４０ｂは、ハウジング２０の底部２０ｆに下方から当接し、送風部１０を支持する。このようにして、送風部１０と吸引部１２とは、支持体１３によって上下方向に間隔をあけて連結される。
【００４７】
支持体１３の後方には、第１管路５０が設けられる。第１管路５０は、後方パネル４１の後方に設けられ、背後パネル５１を含む。背後パネル５１は、水平断面が略コの字状の板状パネルである。背後パネル５１は、作業台部３２の後方から後方パネル４１と平行に設けられ、上方に延びる。背後パネル５１は、幅方向一方側端部の端面が、枠体４０ａに後方から当接して連結され、幅方向他方側の端面が枠体４０ｂに、後方から当接して連結される。第１管路５０は、枠体４０ａ，４０ｂ、後方パネル４１および背後パネル５１によって規定され、略四角筒状に形成される。
【００４８】
作業台部３２の第１管路５０に臨む位置には、第１管路５０に連通する通気孔５２が形成される。吸引部１２と第１管路５０とは、通気孔５２によって連通され、相互に連結される。背後パネル５１の後方パネル４１に臨む面の上方には、吸引源１１が取付けられる。吸引源１１は、第１管路５０を介して吸引部１２内の気体を吸引し、上方へ排出する。吸引部１２は、第１管路５０を介して吸引源１１の吸引力を前記閉空間内に導き、吸引壁部３３の吸引孔３４から前記気流を吸引する。
【００４９】
第１管路５０の上方には、第２管路６０が設けられる。第２管路６０は、ハウジング６１によって規定される。ハウジング６１は、四角箱状に形成され、吸引用ファン３０の排出口が嵌り込む嵌合孔６２と、排出管７０が接続される排出孔６３とを含んで構成される。ハウジング６１は、底部が枠体４０ａ，４０ｂの上面と、背後パネル５１の上面とによって支持され、送風部１０のハウジング２０の後方に設けられる。
【００５０】
第２管路６０の上方には、排出管７０が接続される。排出管７０は、排出する気体の量を調整するための風量調整ダンパを備える。排出管７０は、図示しない排気ダクトに接続される。排出管７０から排出された気体は、排気ダクトを介して室外に排出される。
【００５１】
吸引部１２は、基台１４に支持される。基台１４は、４つの脚部７５と、隣合う脚部７５をそれぞれ連結する連結部７６と、脚部７５の下端部に装着されるキャスタ７７とを含んで構成される。
【００５２】
各脚部７５ａ〜７５ｄは、それぞれハウジング３９の４つの隅に連結され、ハウジング３９を支持する。基台１４を備えることによって、換気装置１は、床面上を移動可能に構成される。
【００５３】
図８は、本考案の第２実施形態の換気装置１Ａに係る吸引部１２Ａの吸引孔３４付近を拡大して示す部分拡大断面図である。換気装置１Ａは、吸引部１２の形状が異なる以外は、すべて換気装置１と同じ構成であるので、換気装置１と同じ構成の部分には同一の符号を付し、重複を避けるため説明は省略する。
【００５４】
吸引部１２Ａは、環状の開口壁部３１と、開口壁部３１の上端部から外側方に延びる作業台部３２と、開口壁部３１の下端部に連なり、外方に延びる下面板８０Ａと、下面板８０Ａから上方に立ち上がり、吸引用ファン３０からの吸引力が導かれる吸引孔３４が形成される吸引壁部３３Ａと、吸引壁部３３Ａの外側方の端部に連なる断面凹状のシンク本体部３５Ａと、を含んで構成される。
【００５５】
作業台部３２の外側方側端部には、下方に向かって延びる外側壁部３６が形成される。外側壁部３６の下方側端部には、内方に向かって水平に延びる底板部３７が形成される。
【００５６】
吸引壁部３３Ａは、開口壁部３１の下端部に連なり、外側方に向かって延びる下面板８０Ａの外方側端部から上方に立ち上がり傾斜して延びる。吸引壁部３３Ａは、上方に向かうにつれて内方に傾斜して延びる。吸引壁部３３Ａには、吸引用ファン３０からの吸引力が導かれる吸引孔３４が形成される。シンク本体部３５は、吸引壁部３３Ａの上方側端部に連なる。
【００５７】
本実施形態によれば、吸引部１２Ａは、開口壁部３１の下方側の端部から外側方に延びる下面板８０Ａを有し、吸引壁部３３Ａは、下面板８０Ａの外周縁部から上方側に立ち上がって形成されるので、吸引孔３４は、シンク本体部３５の底面に臨まない。
【００５８】
これによって、吸引孔３４がシンク本体部３５の底面に臨む換気装置１に比較して、シンク本体部３５内の液体が吸引孔３４から吸引されることを抑制することができるので、換気装置１Ａの吸引力の低下を抑制し、長期にわたって有害ガスを確実に吸引することができる。
【００５９】
図９は、本考案の第３実施形態の換気装置１Ｂに係る吸引部１２Ｂの吸引孔３４付近を拡大して示す部分拡大断面図である。換気装置１Ｂは、吸引部１２の形状が異なる以外は、すべて換気装置１と同じ構成であるので、換気装置１と同じ構成の部分には同一の符号を付し、重複を避けるため説明は省略する。
【００６０】
吸引部１２Ｂは、環状の開口壁部３１と、開口壁部３１の上端部から外側方に延びる作業台部３２と、開口壁部３１の下端部に連なり、外方に延びる下面板８０Ｂと、下面板８０Ｂから垂直に立ち上がり、吸引用ファン３０からの吸引力が導かれる吸引孔３４が形成される吸引壁部３３Ｂと、吸引壁部３３Ｂの外側方の端部に連なる断面凹状のシンク本体部３５と、を含んで構成される。
【００６１】
作業台部３２の外側方側端部には、下方に向かって延びる外側壁部３６が形成される。外側壁部３６の下方側端部には、内方に向かって水平に延びる底板部３７が形成される。
【００６２】
吸引壁部３３Ｂは、開口壁部３１の下端部に連なり、外側方に向かって延びる下面板８０Ｂの外方側端部から垂直に立ち上がって延びる。吸引壁部３３Ｂには、吸引用ファン３０からの吸引力が導かれる吸引孔３４が形成される。シンク本体部３５は、吸引壁部３３Ａの上方側端部に連なる。
【００６３】
本実施形態によれば、吸引壁部３３Ｂは、下面板８０Ｂの外周縁部から垂直に立ち上がって形成されるので、吸引孔３４は、シンク本体部３５の底面に臨まない。したがって、換気装置１Ｂによっても、換気装置１Ａと同じ効果を達成することができる。
【００６４】
図１０は、本考案の第４実施形態の換気装置１Ｃに係る吸引部１２Ｃの吸引孔３４付近を拡大して示す部分拡大断面図である。換気装置１Ｃは、吸引部１２の形状が異なる以外は、すべて換気装置１と同じ構成であるので、換気装置１と同じ構成の部分には同一の符号を付し、重複を避けるため説明は省略する。
【００６５】
吸引部１２Ｃは、環状の開口壁部３１と、開口壁部３１の上端部から外側方に延びる作業台部３２と、開口壁部３１の上下方向中央部からやや下方よりの側面部に連なり、外方に延び、吸引用ファン３０からの吸引力が導かれる吸引孔３４が形成される吸引壁部３３Ｃと、吸引壁部３３Ｃの外側方の端部に連なる断面凹状のシンク本体部３５と、を含んで構成される。
【００６６】
作業台部３２の外側方側端部には、下方に向かって延びる外側壁部３６が形成される。外側壁部３６の下方側端部には、内方に向かって水平に延びる底板部３７が形成される。
【００６７】
吸引壁部３３Ｃは、開口壁部３１の上下方向中央部からやや下方よりの側面部に連なり、外方に向かって水平に延びる。シンク本体部３５は、吸引壁部３３Ｃの上方側端部に連なる。したがって、本実施形態によっても、換気装置１と同じ効果を達成することができる。
【００６８】
図１１は、吸引孔３４の変形例を示す部分拡大平面図である。前述した各実施形態では、吸引孔３４は、平面視で矩形状の孔であったがこの形状に限らない。吸引孔３４は、図１１（ａ）に示すように、吸引壁部３３に沿って周方向に長手の長円形に形成してもよく、図１１（ｂ）に示すように、吸引壁部３３に沿って周方向に円形に形成してもよく、図１１（ｃ）に示すように、吸引壁部３３に沿って周方向に交互に頂点と底辺とが配置される三角形に形成してもよく、星形、六角形、多角形などであってもよい。
【００６９】
このような吸引孔３４であっても、換気装置１，１Ａ，１Ｂ，１Ｃの吸引孔３４として機能しうる。したがって、本考案は、吸引孔３４の形状について制限が少ないので、吸引孔３４を容易に形成することができる。
【符号の説明】
【００７０】
１，１Ａ，１Ｂ，１Ｃ  換気装置
２  カラン
１０  送風部
１１  吸引源
１２，１２Ａ，１２Ｂ，１２Ｃ  吸引部
１３  支持体
１４  基台
２１  給気用ファン
３０  吸引用ファン
３１  開口壁部
３２  作業台部
３３  吸引壁部
３４  吸引孔
３５  シンク本体部
５０  第１管路
６０  第２管路
７０  排出管
８０Ａ，８０Ｂ  下面板
【図１】
0003173962.tif 000003
【図２】
0003173962.tif 000004
【図３】
0003173962.tif 000005
【図４】
0003173962.tif 000006
【図５】
0003173962.tif 000007
【図６】
0003173962.tif 000008
【図７】
0003173962.tif 000009
【図８】
0003173962.tif 000010
【図９】
0003173962.tif 000011
【図１０】
0003173962.tif 000012
【図１１】
0003173962.tif 000013